(57)【要約】【課題】ユーザ装置の分布に応じた適切なスケジューリングを実現する。【解決手段】無線通信システム１が、ユーザ装置ＵＥと、ユーザ装置ＵＥと無線通信を実行可能な送信ポイントＴＰと、送信ポイントが実行する無線通信のスケジューリングを実行するスケジューラ３４２とを備える。スケジューラ３４２は、ユーザ装置ＵＥと送信ポイントＴＰとの無線通信に関するパラメータＤｆ，Ｒａを取得するパラメータ取得部３４２２と、パラメータ取得部３４２２が取得したパラメータＤｆ，Ｒａに基づいて閾値Ｔｈを算定する閾値算定部３４２４と、ユーザ装置ＵＥが接続すべき送信ポイントＴＰを選択する送信ポイント選択部３４２６と、最大のメトリックＰに対応するユーザ装置ＵＥにリソースブロックＲＢを割り当てるリソース割当部３４３０とを備える。【選択図】図８
2015043506.tif 000002
【特許請求の範囲】
【請求項１】
複数のユーザ装置と、
各々が、複数の前記ユーザ装置の各々と無線通信を実行可能な複数の送信ポイントと、
複数の前記送信ポイントが実行する無線通信のスケジューリングを、リソースブロック単位で実行するスケジューラとを備え、
前記スケジューラは、
複数の前記ユーザ装置と複数の前記送信ポイントとの無線通信に関する複数のパラメータを取得するパラメータ取得部と、
前記パラメータ取得部が取得した複数の前記パラメータに基づいて閾値を算定する閾値算定部と、
前記ユーザ装置の各々について、前記閾値算定部が算定した前記閾値と、前記パラメータ取得部が当該ユーザ装置について取得した前記パラメータとを比較して、当該ユーザ装置が接続すべき送信ポイントを選択する送信ポイント選択部と、
前記送信ポイントの各々について、当該送信ポイントに接続する複数の前記ユーザ装置の各々についてメトリックを算定するメトリック算定部と、
前記メトリック算定部が算定した前記メトリックのうち最大のメトリックに対応するユーザ装置にリソースブロックを割り当てるリソース割当部と
を備える無線通信システム。
【請求項２】
前記パラメータ取得部は、
複数の前記ユーザ装置の各々と複数の前記送信ポイントの各々との無線通信におけるスループットを取得した後、複数の前記ユーザ装置の各々について、１つの送信ポイントにおけるスループットを基準とした他の送信ポイントにおけるスループットの差分値または比値を算定し、
前記閾値算定部は、
複数の前記ユーザ装置の各々について前記パラメータ取得部が取得した複数の前記差分値または前記比値の平均値を閾値として取得する
請求項１の無線通信システム。
【請求項３】
前記パラメータ取得部は、
複数の前記ユーザ装置の各々と複数の前記送信ポイントの各々との無線通信における仮メトリックを取得した後、複数の前記ユーザ装置の各々について、１つの送信ポイントにおける仮メトリックを基準とした他の送信ポイントにおける仮メトリックの差分値または比値を算定し、
前記閾値算定部は、
複数の前記ユーザ装置の各々について前記パラメータ取得部が取得した複数の前記差分値または前記比値の平均値を閾値として取得する
請求項１の無線通信システム。
【請求項４】
複数のユーザ装置と、
各々が、複数の前記ユーザ装置の各々と無線通信を実行可能な複数の送信ポイントと、
複数の前記送信ポイントが実行する無線通信のスケジューリングを、リソースブロック単位で実行するスケジューラと
を備える無線通信システムにおける通信制御方法であって、
前記スケジューラにおいて、
複数の前記ユーザ装置と複数の前記送信ポイントとの無線通信に関する複数のパラメータを取得することと、
取得された複数の前記パラメータに基づいて閾値を算定することと、
前記ユーザ装置の各々について、算定された前記閾値と、当該ユーザ装置について取得された前記パラメータとを比較して、当該ユーザ装置が接続すべき送信ポイントを選択することと、
前記送信ポイントの各々について、当該送信ポイントに接続する複数の前記ユーザ装置の各々についてメトリックを算定することと、
算定された前記メトリックのうち最大のメトリックに対応するユーザ装置にリソースブロックを割り当てることと
を備える通信制御方法。
【発明の詳細な説明】
【技術分野】
【０００１】
本発明は、無線通信システムおよび通信制御方法に関する。
【背景技術】
【０００２】
３ＧＰＰ（Third Generation Partnership Project）規格に従う様々な無線通信システムが活用されている。無線通信システムにおいては、複数のユーザ装置が同時に無線通信を実行する。無線通信を実行する際に、時間領域および周波数領域における無線リソース（例えば、３ＧＰＰ規格に規定されるリソースブロック）が使用される。無線通信システムにおいて無線リソースの量は有限であるから、無線リソースが各ユーザ装置に対して適切に割り当てられること、すなわち、無線リソースが適切にスケジューリングされることが重要である。
【０００３】
無線リソースをスケジューリングするアルゴリズムとして、プロポーショナルフェアネス（Proportional Fairness，ＰＦ）が知られている（例えば、特許文献１）。プロポーショナルフェアネスによるスケジューリングにおいては、スケジューラが、配下に存在する各ユーザ装置のメトリックＰを、以下の式（１）に従い算定する。
Ｐ＝Ｔα／Ｒβ  ……（１）
ここで、Ｔはユーザ装置の推定スループットであり、Ｒはユーザ装置の平均スループットであり、α及びβは重み付け係数である。
【０００４】
スケジューラは、最も大きいメトリックＰを有するユーザ装置に対して、無線リソースを割り当てる。以上のように無線リソースの割当てを実行することで、システム全体における高スループットと、ユーザ装置間の公平なリソース割当てとが実現される。
【先行技術文献】
【特許文献】
【０００５】
【特許文献１】特開2004-304394号公報
【発明の概要】
【発明が解決しようとする課題】
【０００６】
以上の無線通信システムが、１つのスケジューラによって制御され、任意に配置される複数の送信ポイントを備えることを想定する。複数の送信ポイントを任意に配置可能とすると、送信ポイントを新たに設置するための負荷が低減される一方で、送信ポイント間でのユーザ装置分布に偏りが生じる可能性がある。上述のプロポーショナルフェアネスアルゴリズムによれば、送信ポイント間でのユーザ装置分布の偏りとは関係なく無線リソースのスケジューリングが実行される。そうすると、無線接続するユーザ装置が多い送信ポイントにおいては、無線リソースが不足してスループットが低下する可能性がある。
【０００７】
以上の事情を考慮して、本発明は、１つのスケジューラに制御される複数の送信ポイントを備える無線通信システムにおいて、ユーザ装置の分布に応じた適切なスケジューリングを実現することを目的とする。
【課題を解決するための手段】
【０００８】
本発明の無線通信システムは、複数のユーザ装置と、各々が、複数の前記ユーザ装置の各々と無線通信を実行可能な複数の送信ポイントと、複数の前記送信ポイントが実行する無線通信のスケジューリングを、リソースブロック単位で実行するスケジューラとを備え、前記スケジューラは、複数の前記ユーザ装置と複数の前記送信ポイントとの無線通信に関する複数のパラメータを取得するパラメータ取得部と、前記パラメータ取得部が取得した複数の前記パラメータに基づいて閾値を算定する閾値算定部と、前記ユーザ装置の各々について、前記閾値算定部が算定した前記閾値と、前記パラメータ取得部が当該ユーザ装置について取得した前記パラメータとを比較して、当該ユーザ装置が接続すべき送信ポイントを選択する送信ポイント選択部と、前記送信ポイントの各々について、当該送信ポイントに接続する複数の前記ユーザ装置の各々についてメトリックを算定するメトリック算定部と、前記メトリック算定部が算定した前記メトリックのうち最大のメトリックに対応するユーザ装置にリソースブロックを割り当てるリソース割当部とを備える。
【０００９】
本発明の好適な態様において、前記パラメータ取得部は、複数の前記ユーザ装置の各々と複数の前記送信ポイントの各々との無線通信におけるスループットを取得した後、複数の前記ユーザ装置の各々について、１つの送信ポイントにおけるスループットを基準とした他の送信ポイントにおけるスループットの差分値または比値を算定し、前記閾値算定部は、複数の前記ユーザ装置の各々について前記パラメータ取得部が取得した複数の前記差分値または前記比値の平均値を閾値として取得する。
【００１０】
本発明の好適な態様において、前記パラメータ取得部は、複数の前記ユーザ装置の各々と複数の前記送信ポイントの各々との無線通信における仮メトリックを取得した後、複数の前記ユーザ装置の各々について、１つの送信ポイントにおける仮メトリックを基準とした他の送信ポイントにおける仮メトリックの差分値または比値を算定し、前記閾値算定部は、複数の前記ユーザ装置の各々について前記パラメータ取得部が取得した複数の前記差分値または前記比値の平均値を閾値として取得する。
【００１１】
本発明の通信制御方法は、複数のユーザ装置と、各々が、複数の前記ユーザ装置の各々と無線通信を実行可能な複数の送信ポイントと、複数の前記送信ポイントが実行する無線通信のスケジューリングを、リソースブロック単位で実行するスケジューラとを備える無線通信システムにおける通信制御方法であって、前記スケジューラにおいて、複数の前記ユーザ装置と複数の前記送信ポイントとの無線通信に関する複数のパラメータを取得することと、取得された複数の前記パラメータに基づいて閾値を算定することと、前記ユーザ装置の各々について、算定された前記閾値と、当該ユーザ装置について取得された前記パラメータとを比較して、当該ユーザ装置が接続すべき送信ポイントを選択することと、前記送信ポイントの各々について、当該送信ポイントに接続する複数の前記ユーザ装置の各々についてメトリックを算定することと、算定された前記メトリックのうち最大のメトリックに対応するユーザ装置にリソースブロックを割り当てることとを備える。
【発明の効果】
【００１２】
本発明によれば、ユーザ装置の接続先の送信ポイントが適切に選択され、スケジューリングが適切に実行される。
【図面の簡単な説明】
【００１３】
【図１】無線通信システムを示すブロック図である。
【図２】各送信ポイントがその周囲に形成するエリアの例を示す図である。
【図３】ユーザ装置の構成を示すブロック図である。
【図４】送信ポイントの構成を示すブロック図である。
【図５】基地局の構成を示すブロック図である。
【図６】無線リソース単位（リソースブロック）の説明図である。
【図７】スケジューリングの一例の説明図である。
【図８】スケジューリングの動作フローである。
【図９】スループットおよび差分値の例を示す図である。
【図１０】閾値および選択された接続先の送信ポイントの例を示す図である。
【図１１】変形例の無線通信システムを示す図である。
【発明を実施するための形態】
【００１４】
１．  第１実施形態
１（１）．  無線通信システムの概略
図１は、本発明の第１実施形態に係る無線通信システム１を示すブロック図である。無線通信システム１は、基地局ＮＢと、基地局ＮＢに接続される複数の送信ポイントＴＰと、ユーザ装置ＵＥとを備える。基地局ＮＢ自身が、送信ポイントＴＰの１つとして機能してもよい。無線通信システム１は、上記以外の不図示の要素、例えば、交換局、サービングゲートウェイ、およびＰＤＮゲートウェイ等のノードを備え得る。ネットワークは、無線通信システム１が備える上記の要素のうち、ユーザ装置ＵＥ以外の要素を備える。
【００１５】
無線通信システム１内の各要素は、任意のアクセス技術（Access Technology）に従って通信を実行する。例えば、３ＧＰＰ（Third Generation Partnership Project）規格に含まれるＬＴＥ／ＳＡＥ（Long Term Evolution / System Architecture Evolution）規格が、採用可能なアクセス技術として例示される。無線アクセスの多重方式として、周波数分割多重が用いられてもよいし、時分割多重が用いられてもよい。無線通信システム１において、複数の無線アクセス技術（例えば、３Ｇ及びＬＴＥ）が採用されてもよい。３ＧＰＰ規格に規定された用語に従うと、ユーザ装置ＵＥはUser Equipmentであり、交換局はMobile Management Entityであり、サービングゲートウェイはServing Gatewayであり、ＰＤＮゲートウェイはPacket Data Network Gatewayである。基地局ＮＢは、３ＧＰＰ規格に規定されるevolved Node B（マクロ基地局）であってもよいし、その他の構成による基地局（例えば、マクロ基地局よりも無線能力の低いスモール基地局）であってもよい。
【００１６】
ユーザ装置ＵＥは、基地局ＮＢ（各送信ポイントＴＰ）と無線通信することが可能である。ユーザ装置ＵＥと各送信ポイントＴＰとの無線通信の方式は任意である。例えば、下りリンクではＯＦＤＭＡ（Orthogonal Frequency Division Multiple Access）が採用され得、上りリンクではＳＣ−ＦＤＭＡ（Single-Carrier Frequency Division Multiple Access）が採用され得る。
【００１７】
基地局ＮＢおよび送信ポイントＴＰは、光ファイバ等の広帯域インタフェースにより相互に接続される。送信ポイントＴＰは、ユーザ装置ＵＥと無線通信を実行可能な任意の装置である。例えば、リモートラジオヘッド（Remote Radio Head，ＲＲＨ）、光張り出し（Remote Radio Equipment，ＲＲＥ）等の装置が送信ポイントＴＰとして採用され得る。各基地局ＮＢは、コアネットワークＣＮに接続される。コアネットワークＣＮは、交換局、サービングゲートウェイ、ＰＤＮゲートウェイ等を有するパケット通信ネットワークである。
【００１８】
１つの基地局ＮＢには、複数の送信ポイントＴＰが接続される。基地局ＮＢは、その基地局ＮＢに接続される送信ポイントＴＰ（すなわち、配下の送信ポイントＴＰ）を制御して、ユーザ装置ＵＥとの無線通信を実行させる。
【００１９】
図２は、各送信ポイントＴＰがその周囲に形成するエリアＡの例を示す。図１と同様、複数の送信ポイントＴＰは１つの基地局ＮＢ（不図示）に接続されている。エリアＡは、各送信ポイントＴＰからの電波（無線信号）が、ユーザ装置ＵＥに対して有効に到達する範囲である。したがって、ユーザ装置ＵＥは、在圏するエリアＡに対応する送信ポイントＴＰと無線通信を実行することが可能である。
【００２０】
送信ポイントＴＰが送信する制御信号には、その送信ポイントＴＰを識別する送信ポイント識別子（ＴＰＩＤ）と、その送信ポイントが接続する基地局ＮＢを識別するセル識別子（ＣＩＤ）とが含まれる。ユーザ装置ＵＥは、制御信号に含まれる送信ポイント識別子およびセル識別子に基づいて、送信ポイントＴＰおよび基地局ＮＢを識別することが可能である。１つの基地局ＮＢの配下に存在する複数の送信ポイントＴＰは、その基地局ＮＢのセル識別子を共有する。
【００２１】
１（２）．  各要素の構成
１（２）−１．  ユーザ装置の構成
図３は、第１実施形態に係るユーザ装置ＵＥの構成を示すブロック図である。ユーザ装置ＵＥは、無線通信部１１０と記憶部１２０と制御部１３０とを備える。音声・映像等を出力する出力装置及びユーザからの指示を受け付ける入力装置等の図示は便宜的に省略されている。無線通信部１１０は、送信ポイントＴＰ（基地局ＮＢ）と無線通信を実行するための要素であり、送受信アンテナと、無線信号（電波）を受信して電気信号に変換する受信回路と、制御信号、ユーザ信号等の電気信号を無線信号（電波）に変換して送信する送信回路とを含む。記憶部１２０は通信制御に関する情報を記憶する。制御部１３０は、受信品質取得部１３２と受信品質報告部１３４と通信部１３６とを備える。受信品質取得部１３２は、複数の送信ポイントＴＰの各々から受信した無線信号に基づいて、基地局ＮＢにおけるスケジューリングに用いられる受信品質（Channel Quality Index, ＣＱＩ）を送信ポイントＴＰ毎に取得する。受信品質報告部１３４は、受信品質取得部１３２が取得した受信品質を、無線通信部１１０を介して基地局ＮＢに報告する。通信部１３６は、無線通信部１１０を介して基地局ＮＢとユーザデータ信号および制御信号を送受信する。制御部１３０及び制御部１３０内の各要素は、ユーザ装置ＵＥ内の不図示のＣＰＵ（Central Processing Unit）が、記憶部１２０に記憶されたコンピュータプログラムを実行し、そのコンピュータプログラムに従って機能することにより実現される機能ブロックである。
【００２２】
１（２）−２．  送信ポイントの構成
図４は、第１実施形態に係る送信ポイントＴＰの構成を示すブロック図である。送信ポイントＴＰは、無線通信部２１０と基地局通信部２２０とを備える。無線通信部２１０は、ユーザ装置ＵＥと無線通信を実行するための要素であり、ユーザ装置ＵＥの無線通信部１１０と同様に構成される。基地局通信部２２０は基地局ＮＢと通信を実行するための要素であり、基地局ＮＢと信号を送受信する。
【００２３】
１（２）−３．  基地局の構成
図５は、第１実施形態に係る基地局ＮＢの構成を示すブロック図である。基地局ＮＢは、送信ポイント通信部３１０とネットワーク通信部３２０と記憶部３３０と制御部３４０とを備える。送信ポイント通信部３１０は各送信ポイントＴＰと通信を実行するための要素であり、各送信ポイントＴＰと信号を送受信する。ネットワーク通信部３２０は、ネットワークＮＷ内の他のノード（交換局、ＰＤＮゲートウェイ等）と通信を実行するための要素であり、他のノードと信号を送受信する。記憶部３３０は、通信制御に関する情報を記憶する。
【００２４】
制御部３４０は、スケジューラ３４２と通信部３４４とを備える。スケジューラ３４２は、パラメータ取得部３４２２と、閾値算定部３４２４と、送信ポイント選択部３４２６と、メトリック算定部３４２８と、リソース割当部３４３０とを備える。スケジューラ３４２は、複数の送信ポイントＴＰが実行する無線通信のスケジューリングを実行する（スケジューリングの詳細は後述される）。通信部３４４は、スケジューラ３４２の制御の下、ユーザデータ信号および制御信号を送受信する。制御部３４０及び制御部３４０内の各要素は、基地局ＮＢ内の不図示のＣＰＵが、記憶部３３０に記憶されたコンピュータプログラムを実行し、そのコンピュータプログラムに従って機能することにより実現される機能ブロックである。
【００２５】
１（３）．  スケジューリング
１（３）−１．  無線リソース単位（リソースブロック）
無線通信システム１においては、無線リソース単位であるリソースブロックＲＢごとにリソース割当て（スケジューリング）が実行される。図６は、リソースブロックＲＢの説明図である。図６において、横軸（Ｘ軸）は時間軸を示し、縦軸（Ｙ軸）は周波数軸を示す。リソースブロックＲＢは、所定の時間長（例えば、１スロットに相当する０．５ミリ秒）および所定の周波数帯域（例えば、１２サブキャリアに相当する１８０ｋＨｚ）を占める無線リソース単位であり、時間軸方向および周波数軸方向にわたって複数存在する。以上の所定時間長および所定周波数帯域は、無線環境等に応じて可変に設定されてもよい。基地局ＮＢ（スケジューラ３４２）は、リソースブロックＲＢごとに、送信対象のユーザ装置ＵＥを割り当てる。なお、以下では、図内の特定のリソースブロックＲＢを、ＸＹ座標を用いて“ＲＢ(x,y)”のように示す場合がある。
【００２６】
図７を参照して、リソースブロックごとのスケジューリングの一例を説明する。図７の例では、スケジューラ３４２の制御の下、１つの送信ポイントＴＰが２つのユーザ装置ＵＥ（ＵＥ１，ＵＥ２）に対して無線送信を実行すると想定する。スケジューラ３４２のリソース割当部３４３０は、実際の無線送信に先立ち、メトリック算定部３４２８が算定したメトリックＰ（詳細は後述される）に基づいて、ユーザ装置ＵＥへの無線信号の送信に用いるべきリソースブロックＲＢを決定する。図７の例では、リソース割当部３４３０が、斜線で示されるリソースブロックＲＢ（ＲＢ(1,4), ＲＢ(1,5), ..., ＲＢ(5,5)）を第１のユーザ装置ＵＥ１に対する無線送信に割り当て、点描で示されるリソースブロックＲＢ（ＲＢ(0,0), ＲＢ(0,1), ..., ＲＢ(5,2)）を第２のユーザ装置ＵＥ２に対する無線送信に割り当てる。以上のリソース割当て（スケジューリング）は、伝送時間間隔（Transmission Time Interval，ＴＴＩ）ごと（例えば、１ミリ秒ごと）に実行される。
【００２７】
スケジューリングの結果は、スケジューラ３４２（リソース割当部３４３０）から通信部３４４およびユーザ装置ＵＥの通信部１３６に供給される。基地局ＮＢの通信部３４４は、割り当てられたリソースブロックＲＢを用いて各ユーザ装置ＵＥに無線信号を送信する。ユーザ装置ＵＥの通信部１３６は、割り当てられたリソースブロックＲＢについて受信動作を実行し無線信号を受信する。
【００２８】
無線通信システム１において、実際には、複数の送信ポイントＴＰが同時にスケジューラ３４２によって制御される。すなわち、スケジューラ３４２は、図７を参照して説明したスケジューリングを、各送信ポイントＴＰについて実行する。すなわち、スケジューラ３４２は、時間領域（time domain）および周波数領域（frequency domain）のスケジューリングに加えて、送信ポイントＴＰごと（すなわち、空間領域（spatial domain））のスケジューリングを実行する。換言すると、スケジューラ３４２はマルチドメインスケジューリングを実行する。
【００２９】
１（３）−２．  スケジューリングの動作フロー
図８は、本実施形態のスケジューリングの動作フローである。図８は、本実施形態のスケジューリングの動作フローである。ユーザ装置ＵＥの無線通信部１１０は、複数の送信ポイントＴＰの各々から送信される無線信号を受信し、受信品質取得部１３２に供給する（S100）。受信品質取得部１３２は、受信された無線信号の各々について（すなわち、送信ポイントＴＰの各々について）受信品質（ＣＱＩ）を取得する。受信品質報告部１３４は、受信品質取得部１３２が取得した受信品質を、いずれかの送信ポイントＴＰを介して基地局ＮＢに報告（送信）する（S120）。基地局ＮＢのスケジューラ３４２は、送信ポイントＴＰの各々についての受信品質を受信する。
【００３０】
スケジューラ３４２のパラメータ取得部３４２２は、複数の送信ポイントＴＰについての各ユーザ装置ＵＥにおける受信品質に基づいて、１つの送信ポイントＴＰと１つのユーザ装置ＵＥとの組合せごとにスループットＴを取得する（S130）。スループットＴの算定方法は任意である。好適には、離散値として取得される受信品質（ＣＱＩ）とスループットＴとの対応表を用いて、受信品質からスループットＴが取得される。
【００３１】
そして、パラメータ取得部３４２２は、１つの送信ポイントＴＰ（本例では、送信ポイントＴＰ１）を基準として選択し、ユーザ装置ＵＥごとにスループットＴの差分値Ｄｆを算定する（S140）。図９に、２つの送信ポイントＴＰ（ＴＰ１，ＴＰ２）および５つのユーザ装置ＵＥ（ＵＥ１，ＵＥ２，ＵＥ３，ＵＥ４，ＵＥ５）が存在する場合に取得されるスループットＴおよび差分値Ｄｆの例を示す。例えば、ユーザ装置ＵＥ１については、送信ポイントＴＰ１におけるスループットＴ（３．０）と送信ポイントＴＰ２におけるスループットＴ（５．０）との差分値Ｄｆ（２．０）が算定により得られる。
【００３２】
スケジューラ３４２の閾値算定部３４２４は、パラメータ取得部３４２２が取得した複数の差分値Ｄｆの平均値を、閾値Ｔｈとして取得する（S150）。スケジューラ３４２の送信ポイント選択部３４２６は、ユーザ装置ＵＥの各々について、閾値算定部３４２４が算定した閾値Ｔｈと、パラメータ取得部３４２２がそのユーザ装置ＵＥについて取得した差分値Ｄｆとを比較して、そのユーザ装置ＵＥが接続すべき送信ポイントＴＰを選択する（S160）。閾値Ｔｈより低い差分値Ｄｆを有するユーザ装置ＵＥが基準である送信ポイントＴＰ（本例ではＴＰ１）に接続され、閾値より高い差分値Ｄｆを有するユーザ装置ＵＥが基準である送信ポイントＴＰ以外の送信ポイントＴＰ（本例ではＴＰ２）に接続されるように、ステップS160の選択が実行される。
【００３３】
図１０に、閾値Ｔｈおよび５つのユーザ装置ＵＥについてそれぞれ選択された接続先の送信ポイントＴＰの例を示す。ユーザ装置ＵＥ１を例示して説明すると、送信ポイントＴＰ１を基準とした差分値Ｄｆ（２．０）が閾値Ｔｈを上回るので、送信ポイント選択部３４２６は、ユーザ装置ＵＥ１の接続先として送信ポイントＴＰ２を選択する。
【００３４】
スケジューラ３４２のメトリック算定部３４２８は、各送信ポイントＴＰについて、各ユーザ装置ＵＥのメトリックＰを、以下の式（２）を用いて算定する（S170）。
Ｐ＝（Ｔα／Ｒβ）・（１／Ｋγ）    ……（２）
【００３５】
メトリックＰ（＝（Ｔα／Ｒβ）・（１／Ｋγ））について、より具体的に説明する。Ｔは前述したユーザ装置ＵＥのスループットＴであり、Ｒはユーザ装置ＵＥの直近の平均スループットである。以上の平均スループットＲは、所定期間におけるユーザ装置ＵＥのスループットＴの平均値として算定され得る。αおよびβは重み付け係数であり、通常はα＝１，β＝１に設定される。ＴおよびＲは、従来のプロポーショナルフェアネスアルゴリズム（前述の式（１））においても使用されるパラメータである。
【００３６】
平均スループットＲは、１つの基地局ＮＢに接続される複数の送信ポイントＴＰの配下のユーザ装置ＵＥ全てのスループットを平均した値である。すなわち、１つの基地局ＮＢに接続される複数の送信ポイントＴＰにおいて、平均スループットＲは共通の値を取る。
【００３７】
１／Ｋγはオフロードファクタ（オフセット値）である。Ｋは、ステップS160での選択に基づいて算定される、１つの送信ポイントＴＰに接続するユーザ装置ＵＥの数である。γは任意に設定され得る重み付け係数であり、γの値が大きいほどオフロードファクタが小さくなる。γ＝０の場合はオフロードファクタが１であるため、オフロードが実行されない。
【００３８】
スケジューラ３４２のリソース割当部３４３０は、各送信ポイントＴＰについてスケジューリングを実行する（S180）。具体的には、図７を参照して前述した通り、各送信ポイントＴＰについて、その送信ポイントＴＰに接続するユーザ装置ＵＥについてメトリック算定部３４２８が算定した複数のメトリックＰのうち、最大のメトリックＰに対応するユーザ装置ＵＥに、リソースブロックＲＢを割り当てる。以上のスケジューリング動作は、伝送時間間隔（Transmission Time Interval，ＴＴＩ）ごと（例えば、１ミリ秒ごと）に実行される。
【００３９】
１（４）  本実施形態の効果
以上の構成によれば、パラメータ取得部３４２２が取得したパラメータ（スループットＴ）に基づいてユーザ装置ＵＥが接続すべき送信ポイントＴＰが選択される。そのため、単にユーザ装置ＵＥにおける受信レベルに基づいて接続先が選択される構成と比較して、ユーザ装置ＵＥの接続先の送信ポイントＴＰが適切に選択され、スケジューリングが適切に実行される。特に、近い受信レベルを有する複数のユーザ装置ＵＥが存在する場合であっても、パラメータに応じて接続先の送信ポイントＴＰが分散されるので、無線通信の負荷分散が実現される。
【００４０】
２．  変形例
以上の実施の形態は多様に変形される。具体的な変形の態様を以下に例示する。以上の実施の形態および以下の例示から任意に選択された２以上の態様は、相互に矛盾しない限り適宜に併合され得る。
【００４１】
２（１）．  変形例１
無線通信システム１が、各々が１つの送信ポイントＴＰと一体に構成された複数の基地局ＮＢを備える構成も採用可能である。以上の構成においては、複数の基地局ＮＢのうちいずれかがスケジューラ３４２を有し、そのスケジューラ３４２が上述の実施形態のように他の基地局ＮＢ（上述の実施形態における送信ポイントＴＰに相当）を制御すればよい。なお、１つの送信ポイントＴＰが複数の送信アンテナを備えてもよい。
【００４２】
２（２）．  変形例２
無線通信システム１は、マクロ基地局ｅＮＢとスモール基地局ＰｈＮＢと含むヘテロジーニアスネットワークであってもよい。本変形例では、スモール基地局ＰｈＮＢが、上述の実施形態の基地局ＮＢに相当する。図１１に示すように、マクロ基地局ｅＮＢは、マクロセルＣｍを形成する。他方、スモール基地局ＰｈＮＢは複数の送信ポイントＴＰを備え、各送信ポイントＴＰはマクロセルＣｍの内部にエリアＡを形成する。送信ポイントＴＰの無線送信能力はマクロ基地局ｅＮＢの無線送信能力を下回るから、エリアＡの面積はマクロセルＣｍの面積を下回る。
【００４３】
以上の構成によれば、１つのスモール基地局ＰｈＮＢに接続される複数の送信ポイントＴＰが、スモール基地局ＰｈＮＢのスケジューラ３４２に一括して制御されるから、基地局間で協調してスケジューリングを実行する構成と比較して、制御処理（バックヤードプロセシング）の負荷がより低減される。
【００４４】
２（３）．  変形例３
マクロ基地局ｅＮＢが無線通信に用いる周波数帯域と、スモール基地局ＰｈＮＢ（送信ポイントＴＰ）が無線通信に用いる周波数帯域とは、同一であってもよいし、互いに異なっていてもよい。ただし、スモール基地局ＰｈＮＢが用いる周波数帯域が、マクロ基地局ｅＮＢが用いる周波数帯域を上回る構成においては、より低い周波数帯域による安定な無線通信を用いて制御系の通信（Ｃプレーン通信）が実現されるのでより好適である。
【００４５】
２（４）．  変形例４
以上の構成では、スループットＴに基づいて閾値Ｔｈが算定されたが、各送信ポイントＴＰに対するユーザ装置ＵＥの接続数を考慮しないメトリック（仮メトリック）に基づいて閾値Ｔｈが算定されてもよい。より具体的には、ステップS130において、パラメータ取得部３４２２が、前述と同様に、１つの送信ポイントＴＰと１つのユーザ装置ＵＥとの組合せごとにスループットＴを取得した後、取得されたスループットＴの各々を、対応するユーザ装置ＵＥの直近の平均スループットＲで除算して仮メトリック（Ｔ／Ｒ）を算定してもよい。本変形例のステップS140では、パラメータ取得部３４２２が、１つの送信ポイントＴＰを基準として選択し、ユーザ装置ＵＥごとに仮メトリックの差分値Ｄｆを算定する。
【００４６】
２（５）．  変形例５
以上の構成では、スループットＴの差分値Ｄｆに基づいて閾値Ｔｈが算定されたが、スループットＴの比値Ｒａに基づいて閾値Ｔｈが算定されてもよい。より具体的には、ステップS140において、パラメータ取得部３４２２が、１つの送信ポイントＴＰを基準として選択し、ユーザ装置ＵＥごとにスループットＴの比値Ｒａを算定してもよい（基準となる送信ポイントＴＰについてのスループットＴが比値Ｒａの分母である）。本変形例のステップS150では、閾値算定部３４２４が、パラメータ取得部３４２２が取得した複数の比値Ｒａの平均値を、閾値Ｔｈとして取得する。
【００４７】
２（６）．  変形例６
ユーザ装置ＵＥは、送信ポイントＴＰ（基地局ＮＢ）と無線通信が可能な任意の装置である。ユーザ装置ＵＥは、例えば、フィーチャーフォンまたはスマートフォン等の携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【００４８】
２（７）．  変形例７
無線通信システム１内の各要素（ユーザ装置ＵＥおよび基地局ＮＢ）においてＣＰＵが実行する各機能は、ＣＰＵの代わりに、ハードウェアで実行してもよいし、例えばＦＰＧＡ（Field Programmable Gate Array）、ＤＳＰ（Digital Signal Processor）等のプログラマブルロジックデバイスで実行してもよい。
【符号の説明】
【００４９】
１……無線通信システム、１１０……無線通信部、１２０……記憶部、１３０……制御部、１３２……受信品質取得部、１３４……受信品質報告部、１３６……通信部、２１０……無線通信部、２２０……基地局通信部、３１０……送信ポイント通信部、３２０……ネットワーク通信部、３３０……記憶部、３４０……制御部、３４２……スケジューラ、３４２２……パラメータ取得部、３４２４……閾値算定部、３４２６……送信ポイント選択部、３４２８……メトリック算定部、３４３０……リソース割当部、３４４……通信部、Ａ……エリア、ＣＮ……コアネットワーク、Ｃｍ……マクロセル、Ｄｆ……差分値、ＮＢ……基地局、Ｐ……メトリック、ＰｈＮＢ……スモール基地局、Ｒ……平均スループット、ＲＢ……リソースブロック、Ｔ……スループット、ＴＰ……送信ポイント、Ｔｈ……閾値、ＵＥ……ユーザ装置、ｅＮＢ……マクロ基地局。
【図１】
2015043506.tif 000003
【図２】
2015043506.tif 000004
【図３】
2015043506.tif 000005
【図４】
2015043506.tif 000006
【図５】
2015043506.tif 000007
【図６】
2015043506.tif 000008
【図７】
2015043506.tif 000009
【図８】
2015043506.tif 000010
【図９】
2015043506.tif 000011
【図１０】
2015043506.tif 000012
【図１１】
2015043506.tif 000013